(57)【要約】【課題】携帯端末のボーダー領域を最小化できるタッチスクリーンとその製造方法、およびそれを備える携帯端末を提供する。【解決手段】画像が表示されるアクティブ領域および前記画像に対応するデータを伝送する信号ラインが位置する配線領域を含むフレキシブル表示パネルと、前記表示パネルの全面に付着され、タッチを感知するためのタッチセンサーが位置するタッチ感知領域およびタッチ信号を伝送するための信号ラインが位置する配線領域を含むフレキシブルタッチパネルと、を含み、前記表示パネルの配線領域および前記タッチパネルの配線領域は、前記アクティブ領域および前記タッチ感知領域と平行にならないように、ベンディングする。【選択図】図４
2013191208.tif 000002
【特許請求の範囲】
【請求項１】
画像が表示されるアクティブ領域および前記画像に対応するデータを伝送する信号ラインが位置する配線領域を含むフレキシブル表示パネルと、
前記フレキシブル表示パネルの全面に付着され、タッチを感知するためのタッチセンサーが位置するタッチ感知領域およびタッチ信号を伝送するための信号ラインが位置する配線領域を含むフレキシブルタッチパネルと、
を含み、
前記フレキシブル表示パネルの配線領域および前記フレキシブルタッチパネルの配線領域は、前記アクティブ領域および前記タッチ感知領域と平行にならないように、ベンディングすることを特徴とするタッチスクリーン。
【請求項２】
前記フレキシブルタッチパネルに付着され、前記フレキシブルタッチパネルを保護する保護ウインドウをさらに含むことを特徴とする請求項１に記載のタッチスクリーン。
【請求項３】
前記フレキシブル表示パネルの下段に位置し、前記フレキシブル表示パネルを平らに固定するためのブラケットをさらに含むことを特徴とする請求項２に記載のタッチスクリーン。
【請求項４】
前記フレキシブル表示パネルの配線領域および前記フレキシブルタッチパネルの配線領域は、
前記ブラケットの外側面と前記タッチスクリーンのケースの内側面の間に位置することを特徴とする請求項３に記載のタッチスクリーン。
【請求項５】
前記ブラケットおよび前記保護ウインドウのうちいずれか一つは、
前記フレキシブル表示パネルの配線領域および前記フレキシブルタッチパネルの配線領域が挿入される溝を含むことを特徴とする請求項３に記載のタッチスクリーン。
【請求項６】
前記フレキシブルタッチパネルは、
横座標を認識するためのドライビングチャンネルおよび縦座標を認識するためのセンシングチャンネルが金属メッシュで形成されることを特徴とする請求項１に記載のタッチスクリーン。
【請求項７】
タッチスクリーンが設置される携帯端末において、
前記タッチスクリーンは、
画像が表示されるアクティブ領域および前記画像に対応するデータを伝送する信号ラインが位置する配線領域を含むフレキシブル表示パネルと、前記フレキシブル表示パネルの全面に付着され、タッチを感知するためのタッチセンサーが位置するタッチ感知領域およびタッチ信号を伝送するための信号ラインが位置する配線領域を含むフレキシブルタッチパネルと、
を含み、
前記フレキシブル表示パネルの配線領域および前記フレキシブルタッチパネルの配線領域は、前記アクティブ領域および前記タッチ感知領域と平行にならないように、ベンディングすることを特徴とする携帯端末。
【請求項８】
前記タッチスクリーンは、
前記フレキシブルタッチパネルに付着され、前記フレキシブルタッチパネルを保護する保護ウインドウをさらに含むことを特徴とする請求項７に記載の携帯端末。
【請求項９】
前記タッチスクリーンは、
前記フレキシブル表示パネルの下段に位置し、前記フレキシブル表示パネルのアクティブ領域を平らに固定するためのブラケットをさらに含むことを特徴とする請求項８に記載の携帯端末。
【請求項１０】
前記フレキシブル表示パネルの配線領域および前記フレキシブルタッチパネルの配線領域は、
前記ブラケットの外側面と前記携帯端末のケースの内側面の間に位置することを特徴とする請求項９に記載の携帯端末。
【請求項１１】
前記ブラケットおよび前記保護ウインドウのうちいずれか一つは、
前記フレキシブル表示パネルの配線領域および前記フレキシブルタッチパネルの配線領域が挿入される溝を含むことを特徴とする請求項９に記載の携帯端末。
【請求項１２】
前記フレキシブルタッチパネルは、
横座標を認識するためのドライビングチャンネルおよび縦座標を認識するためのセンシングチャンネルが金属メッシュで形成されることを特徴とする請求項７に記載の携帯端末。
【請求項１３】
画像が表示されるアクティブ領域と前記画像に対応するデータを伝送する信号ラインが位置する配線領域を含むフレキシブル表示パネル、およびタッチ感知のためのタッチセンサーが位置するタッチ感知領域とタッチ信号を伝送するための信号ラインが位置する配線領域を含むフレキシブルタッチパネルを積層するステップと、
前記フレキシブル表示パネルの配線領域および前記フレキシブルタッチパネルの配線領域を、前記アクティブ領域および前記タッチ感知領域と平行にならないように、ベンディング処理するステップと、
を含むことを特徴とするタッチスクリーン製造方法。
【請求項１４】
前記ベンディング処理するステップは、
前記フレキシブル表示パネルを固定するためのブラケットを前記フレキシブル表示パネルの下段に積層するステップと、
前記フレキシブル表示パネルの配線領域および前記フレキシブルタッチパネルの配線領域を前記ブラケットの側面にベンディングするステップと、
を含むことを特徴とする請求項１３に記載のタッチスクリーン製造方法。
【請求項１５】
前記ベンディング処理するステップは、
前記フレキシブル表示パネルを固定し、両側端に、前記フレキシブル表示パネルの配線領域および前記フレキシブルタッチパネルの配線領域が挿入される溝を含むブラケットを前記フレキシブル表示パネルの下段に積層するステップと、
前記フレキシブル表示パネルの配線領域および前記フレキシブルタッチパネルの配線領域を前記ブラケットの溝に挿入するステップと、
を含むことを特徴とする請求項１３に記載のタッチスクリーン製造方法。
【発明の詳細な説明】
【技術分野】
【０００１】
本発明は、タッチスクリーンとその製造方法、およびそれを備える携帯端末に関し、特に、携帯端末のボーダー領域（Ｂｏｒｄｅｒ Ａｒｅａ）を最小化できるタッチスクリーン、その製造方法、およびそれを利用する携帯端末に関する。
【背景技術】
【０００２】
最近の携帯端末は入力の便宜性のためにタッチスクリーンを備えている。前記タッチスクリーンは、表示パネル（Ｄｉｓｐｌａｙ Ｐａｎｅｌ）およびタッチパネル（Ｔｏｕｃｈ Ｐａｎｅｌ）を含む。
【０００３】
図１は従来のタッチスクリーンを概略的に示した図である。
【０００４】
図１を参照すると、前記タッチスクリーン１３０の表示パネル１３１は、画像（停止画および動画）を表示するアクティブ領域（Ａｃｔｉｖｅ Ａｒｅａ、３１ａ）と、画像が表示されないノンアクティブ領域（Ｎｏｎ−ａｃｔｉｖｅ Ａｒｅａ、３１ｂ）とで区分することができる。前記アクティブ領域３１ａは、画像データを供給するデータ駆動部（Ｄａｔａ Ｄｒｉｖｉｎｇ Ｉｎｔｅｇｒａｔｅｄ Ｃｉｒｃｕｉｔ）、走査信号を供給するゲート駆動部（Ｇａｔｅ Ｄｒｉｖｉｎｇ Ｉｎｔｅｇｒａｔｅｄ Ｃｉｒｃｕｉｔ）を含んでもよい。前記ノンアクティブ領域３１ｂは、前記ゲート駆動部およびデータ駆動部と印刷回路基板（Ｐｒｉｎｔｅｄ Ｃｉｒｃｕｉｔ Ｂｏａｒｄ:ＰＣＢ、図示せず）を連結するための配線を含む。前記印刷回路基板は、外部からの画像信号を表示パネル１３１の駆動に適した信号に加工および/または変換し、前記ゲート駆動部およびデータ駆動部に供給する各種素子（例えば、ＬＤＩ（ＬＣＤ Ｄｒｉｖｅｒ Ｉｎｔｅｒｆａｃｅ））が実装される。
【０００５】
一方、前記タッチパネル１３２は前記表示パネル１３１の全面に積層される。前記タッチパネル１３２はタッチ感知領域３２ａおよび配線領域３２ｂを含む。前記タッチ感知領域３２ａはタッチ感知のためのタッチセンサーが位置する。前記配線領域３２ｂは、タッチセンサーとタッチドライバーＩＣ（Ｉｎｔｅｇｒａｔｅｄ Ｃｉｒｃｕｉｔ）を連結する多数の配線を含むことができる。
【０００６】
図２は図１のタッチスクリーンを備える携帯端末の外観を示した図である。
【０００７】
図１および図２を参照すると、前記携帯端末１００は長方形であり、全面にタッチスクリーン１３０を保護する保護ウインドウ１４１が位置する。前記携帯端末１００の本体の上段にはスピーカー（Ｓｐｅａｋｅｒ、１１０）が位置し、前記本体の下段には機能キー１５０が位置することができる。
【０００８】
前記保護ウインドウ１４１は透明領域４１ａおよび不透明のボーダー領域（Ｂｏａｒｄｅｒ Ａｒｅａ、４１ｂ）を有することができる。前記ボーダー領域４１ｂは、前記表示パネル１３１のノンアクティブ領域３１ｂおよびタッチパネル１３２の配線領域３２ｂにより、携帯端末１００に必然的に形成される。前記ボーダー領域４１ｂは一般的に保護ウインドウ１４１に特定の色（例えば、黒色）を印刷して形成する。前記ボーダー領域４１ｂは、前記表示パネル１３１のノンアクティブ領域３１ｂおよびタッチパネル１３２の配線領域３２ｂがユーザに露出されないようにし、表示パネル１３１の光の漏れを防止する付加的効果がある。
【０００９】
図３は図２の携帯端末をＡ−Ａ'方向に切断した様子を示した断面図である。
【００１０】
図１ないし図３を参照すると、前記タッチスクリーン１３０は、表示パネル１３１およびタッチパネル１３２が積層されており、前記タッチパネル１３２に保護ウインドウ１４１が積層されていることが分かる。前記表示パネル１３１およびタッチパネル１３２、タッチパネル１３２および保護ウインドウ１４１は、接着剤６０、例えば、光学透明両面テープ（Ｏｐｔｉｃａｌｌｙ Ｃｌｅａｒ Ａｄｈｅｓｉｖｅ：ＯＣＡ）または合成樹脂（Ｒｅｓｉｎ）で接着することができる。このような前記タッチスクリーン１３０は携帯端末１００に実装される。このとき、前記保護ウインドウ１４１のボーダー領域４１ｂは、両面テープ５０などで携帯端末１００のケース１０１に接着することができる。一方、前記表示パネル１３１とブラケット（Ｂｒａｃｋｅｔ、２０）の間には、衝撃発生時、表示パネル１３１が割れることを防止するために、緩衝作用のための緩衝材（１０、例えば、スポンジ（Ｓｐｏｎｇｅ）、ポロン（Ｐｏｒｏｎ）など）を含むことができる。このように、従来のタッチスクリーンを備える携帯端末１００は、表示パネル１３１のノンアクティブ領域３１ｂおよびタッチパネル１３２の配線領域３２ｂの露出を防止するために、比較的広いボーダー領域４１ｂが求められる。これにより、従来の携帯端末１００は、デザインに制約が生じ、端末の全体の大きさが増加するという問題点が存在する。
【００１１】
これにより、最近はタッチスクリーン１３０が占める面積を最小化し、外観をよくするために、ボーダー領域４１ｂを最小化できるタッチスクリーンが求められている。
【発明の概要】
【発明が解決しようとする課題】
【００１２】
本発明は、上述した従来技術の問題点を解決するために発明されたものであり、本発明の目的は、フレキシブル（Ｆｌｅｘｉｂｌｅ）表示パネルおよびフレキシブルタッチパネルを用いて、携帯端末のボーダー領域を最小化できるタッチスクリーンとその製造方法、およびそれを備える携帯端末を提供することにある。
【００１３】
本発明の他の目的は、フレキシブル（Ｆｌｅｘｉｂｌｅ）表示パネルおよびフレキシブルタッチパネルの一部領域を、ベンディング（Ｂｅｎｄｉｎｇ：曲げる）して、携帯端末のボーダー領域を最小化できるタッチスクリーンとその製造方法、およびそれを備える携帯端末を提供することにある。
【課題を解決するための手段】
【００１４】
上述したような目的を達成するための本発明の好ましい実施形態に係るタッチスクリーンは、画像が表示されるアクティブ領域、および前記画像に対応するデータを伝送する信号ラインが位置する配線領域を含むフレキシブル表示パネルと、前記表示パネルの全面に付着され、タッチを感知するためのタッチセンサーが位置するタッチ感知領域およびタッチ信号を伝送するための信号ラインが位置する配線領域を含むフレキシブルタッチパネルとを含み、前記表示パネルの配線領域および前記タッチパネルの配線領域は、前記アクティブ領域および前記タッチ感知領域と平行にならないように、ベンディングすることを特徴とする。
【００１５】
上述したような目的を達成するための本発明の好ましい実施形態に係る携帯端末は、フレキシブルタッチスクリーンが設置される携帯端末において、前記タッチスクリーンは、画像が表示されるアクティブ領域および前記画像に対応するデータを伝送する信号ラインが位置する配線領域を含むフレキシブル表示パネルと、前記表示パネルの全面に付着され、タッチを感知するためのタッチセンサーが位置するタッチ感知領域およびタッチ信号を伝送するための信号ラインが位置する配線領域を含むフレキシブルタッチパネルとを含み、前記表示パネルの配線領域および前記タッチパネルの配線領域は、前記アクティブ領域および前記タッチ感知領域と平行にならないように、ベンディングすることを特徴とする。
【００１６】
上述したような目的を達成するための本発明の好ましい実施形態に係るタッチスクリーンの製造方法は、画像が表示されるアクティブ領域と前記画像に対応するデータを伝送する多数の信号ラインが位置する配線領域を含むフレキシブル表示パネル、およびタッチ感知のためのタッチセンサーが位置するタッチ感知領域とタッチ信号を伝送するための多数の信号ラインが位置する配線領域を含むフレキシブルタッチパネルを積層するステップと、前記表示パネルの配線領域および前記タッチパネルの配線領域を、前記アクティブ領域および前記タッチ感知領域と平行にならないように、ベンディング処理するステップとを含むことを特徴とする。
【発明の効果】
【００１７】
以上で説明したように、本発明の実施形態に係るタッチスクリーン、その製造方法、およびそれを利用する携帯端末は、フレキシブル表示パネルの配線領域およびフレキシブルタッチパネルの配線領域を、前記アクティブ領域および前記タッチ感知領域と平行にならないように、ベンディングして携帯端末のボーダー領域を最小化することができる。これにより、本発明の実施形態に係るタッチスクリーンを含む携帯端末は、デザイン競争力を強化することができる。また、本発明の実施形態に係るタッチスクリーンを含む携帯端末は、ボーダー領域を最小化することができ、同一サイズのタッチスクリーンを提供する他の携帯端末に比べて小型化および軽量化することができる。また、本発明に係る携帯端末は、同一の外観サイズを有する場合、他の携帯端末より相対的に大きい画面を提供することができる。
【図面の簡単な説明】
【００１８】
【図１】従来のタッチスクリーンを概略的に示した図である。
【図２】図１のタッチスクリーンを備える携帯端末の外観を示した図である。
【図３】図２の携帯端末をＡ−Ａ'方向に切断した様子を示した断面図である。
【図４】本発明の実施形態に係るタッチスクリーンを備える携帯端末の断面図である。
【図５】本発明の他の実施形態に係るタッチスクリーンを備える携帯端末の断面図である。
【図６】本発明の他の実施形態に係るタッチスクリーンを備える携帯端末の断面図である。
【図７】本発明の他の実施形態に係るタッチスクリーンを備える携帯端末の断面図である。
【図８】本発明の他の実施形態に係るタッチスクリーンを備える携帯端末の断面図である。
【図９】本発明の実施形態に係るタッチスクリーンの製造方法を説明するための図である。
【発明を実施するための形態】
【００１９】
以下、添付の図面を参照しながら、本発明の好ましい実施形態を詳細に説明する。ここで、添付の図面において、同一の構成要素は可能な限り同一の符号で表していることに留意するべきである。また、本発明の要旨を曖昧にし得る公知の機能および構成に関する詳細な説明は省略する。
【００２０】
一方、本明細書と図面に開示された本発明の実施形態は、本発明の技術内容を分かりやすく説明し、本発明の理解を助けるために特定の例を提示しただけであって、本発明の範囲を限定するものではない。ここに開示された実施形態の以外にも、本発明の技術的思想に基づく他の変形例が実施可能であることは、本発明の属する技術分野における通常の知識を有する者にとって自明なことである。
【００２１】
図４は、本発明の第１実施形態に係るタッチスクリーンを備える携帯端末の断面図である。
【００２２】
図４を参照すると、本発明の第１実施形態に係るタッチスクリーン２３０は、タッチパネル２３２および表示パネル２３１を含み、前記タッチパネル２３２の上段に保護ウインドウ２４１を付着し、表示パネル２３１の下段にブラケット（Ｂｒａｃｋｅｔ、２２０）を付着することができる。
【００２３】
前記表示パネル２３１は、画像を表示するための装置であり、実際に画像が表示されるアクティブ領域２３１ａと、画像に対応するデータを伝送する信号ラインを含むノンアクティブ領域（２３１ｂ、以下、配線領域）とを含むことができる。特に、本発明の第１実施形態に係る表示パネル２３１はフレキシブル（Ｆｌｅｘｉｂｌｅ）表示パネル２３１にすることができる。前記フレキシブル（Ｆｌｅｘｉｂｌｅ）特性により、前記携帯端末に設置する際、前記表示パネル２３１の配線領域２３１ｂは、前記アクティブ領域２３１ａと平行にならないように、ベンディング（Ｂｅｎｄｉｎｇ）することができる。例えば、図４に示されたように、前記表示パネル２３１の配線領域２３１ｂは、前記アクティブ領域２３１ａと所定の角度（例えば、９０度）でベンディングされ、ブラケット２２０とケース２０１の間に位置することができる。このとき、前記表示パネル２３１の配線領域２３１ｂは、設計者の意図により前記ブラケット２２０に付着することもできる。一方、図４では前記ケース２０１が携帯端末のケースであることで示した。しかし、前記ケース２０１はタッチスクリーン２３０のケースにすることもできる。
【００２４】
前記タッチパネル２３２は、タッチを感知するための装置であり、前記表示パネル２３１の全面に付着することができる。前記タッチパネル２３２は、タッチを感知するタッチ感知領域２３２ａおよびタッチ信号をタッチドライバーＩＣに伝送するための信号ラインが位置する配線領域２３２ｂを含むことができる。特に、本発明に係るタッチパネル２３２はフレキシブルタッチパネル２３２にすることができる。前記フレキシブルタッチパネル２３２は、横座標を感知するためのドライビングチャンネル（Ｄｒｉｖｉｎｇ ｃｈａｎｎｅｌ）および縦座標を感知するためのセンシングチャンネル（Ｓｅｎｓｉｎｇ ｃｈａｎｎｅｌ）を金属（例えば、シルバー、銅、アルミニウムなど）メッシュで形成することができる。これは、前記タッチパネル２３２の配線領域２３２ｂが所定の角度で曲がった場合、クラック（ｃｒａｃｋ）などの理由により、信号ラインと断線される問題を防止するためである。
【００２５】
前記タッチパネル２３２の配線領域２３２ｂは、表示パネル２３１の配線領域２３１ｂと同様に、前記タッチ感知領域２３２ａと所定の角度（例えば、９０度）でベンディングされ、前記表示パネル２３１の配線領域２３１ｂとケース２０１の間に位置することができる。このとき、前記タッチパネル２３２の配線領域２３２ｂは、設計者の意図により、前記表示パネル２３１の配線領域２３１ｂまたはケース２０１に付着することもできる。すなわち、前記表示パネル２３１の配線領域２３１ｂおよび前記タッチパネル２３２の配線領域２３２ｂは、図４に示されたように、ブラケット２２０の外側面とケース２０１の内側面の間に位置することができる。このとき、前記表示パネル２３１の配線領域２３１ｂおよび前記タッチパネル２３２の配線領域２３２ｂは、ブラケット２２０またはケース２０１に、両面テープなどの接着剤で接着することができる。
【００２６】
前記ブラケット２２０は、フレキシブル表示パネル２３１のアクティブ領域２３１ａを固定することができる。すなわち、前記ブラケット２２０は、配線領域２３１ｂのベンディングにより発生する外力によって、フレキシブル表示パネル２３１のアクティブ領域２３１ａが曲がらないようにする役割をすることができる。また、前記タッチパネル２３２が前記表示パネル２３１の全面に接着されるので、前記ブラケット２２０は、フレキシブルタッチパネル２３２のタッチ感知領域２３２ａを固定する役割をすることができる。また、上述したように、前記ブラケット２２０は、表示パネル２３１の配線領域２３１ｂおよび前記タッチパネル２３２の配線領域２３２ｂを固定する役割をすることができる。すなわち、図４に示されたように、表示パネル２３１の配線領域２３１ｂをブラケット２２０の側面に接着し、タッチパネル２３２の配線領域２３２ｂを前記表示パネル２３１の配線領域２３１ｂに付着することができる。一方、前記携帯端末が曲がるように設計されたフレキシブル端末である場合、前記ブラケット２２０はフレキシブルな材質で形成することができる。このとき、前記ブラケット２２０は、前記表示パネル２３１およびタッチパネル２３２が、外力のない平常時に平らな状態を維持できるような強度を有することが好ましい。
【００２７】
前記保護ウインドウ２４１は、タッチパネル２３２に付着され、タッチパネル２３２を保護することができる。前記保護ウインドウは、ガラス（Ｇｌａｓｓ）、ＰＣ（Ｐｏｌｙ Ｃａｒｂｏｎａｔｅ）、ＰＭＭＡ（Ｐｏｌｙ Ｍｅｔｈｙｌ ＭｅｔｈＡｃｒｙｌａｔｅ）などで形成することができる。前記携帯端末が、曲がるように設計されたフレキシブル端末である場合、前記保護ウインドウ２４はフレキシブルな材質で形成することができる。
【００２８】
一方、前記保護ウインドウ２４１とタッチパネル２３２およびタッチパネル２３２と表示パネル２３１は、透明光学両面テープ（ＯＣＡ）、合成樹脂（Ｒｅｓｉｎ）などの接着剤２６０で接着することができる。また、前記表示パネル２３１とブラケット２２０の間には、スポンジ（ｓｐｏｎｇｅ）およびポロン（Ｐｏｒｏｎ）などの緩衝材２１０が位置することができる。
【００２９】
上述したように、本発明に係るタッチスクリーン２３０は、フレキシブル表示パネル２３１およびフレキシブルタッチパネル２３２を含み、携帯端末に設置する際、タッチスクリーン２３０の一部領域（表示パネル２３１の配線領域２３１ｂおよびタッチパネル２３２の配線領域２３２ｂ）を、アクティブ領域２３１ａ及びタッチ感知領域２３２ａと所定の角度を有するようにベンディングする。これにより、本発明は携帯端末のボーダー領域を最小化し、ボーダーレス（Ｂｏｒｄｅｒｌｅｓｓ）を具現することができる。
【００３０】
図５ないし図８は、本発明の他の実施形態に係るタッチスクリーンを備える携帯端末の断面図である。以下では、説明の便宜のために、表示パネルおよびタッチパネルを別々に図示せずに、タッチスクリーンとして統合して図示し、各構成を接着する接着材を図示せず、図４と同一の機能を行う構成に関する説明は省略する。
【００３１】
図５ないし図８を参照すると、本発明の第２実施形態に係るタッチスクリーン５３０は、画像表示およびタッチ感知のためのアクティブ領域５３０ａと、画像に対応するデータおよびタッチ信号を伝送する信号ラインが位置する配線領域５３０ｂを含むことができる。ここで、前記配線領域５３０ｂは、図５に示されたように、一定の曲率半径（Ｒａｄｉｕｓ ｏｆ Ｃｕｒｖａｔｕｒｅ）を有して、所定の角度（例えば、９０度）に曲げることができる。ここで、ブラケット５２０は、タッチスクリーン５３０のアクティブ領域５３０ａを固定する平坦面５２０ａと、タッチスクリーン５３０の配線領域５３０ｂが挿入される「Ｕ」字形態の溝５２０ｂを含むことができる。このように、本発明の第２実施形態は、ブラケット５２０に溝５２０ｂを形成し、タッチスクリーン５３０の配線領域５３０ｂをより容易に固定することができる。
【００３２】
図６を参照すると、本発明の第３実施形態に係るタッチスクリーン６３０は、画像表示およびタッチ感知のためのアクティブ領域６３０ａと、画像に対応するデータおよびタッチ信号を伝送する信号ラインが位置する配線領域６３０ｂを含むことができる。ここで、前記タッチスクリーン６３０の配線領域６３０ｂは、図６に示されたように、一定の曲率半径（Ｒａｄｉｕｓ ｏｆ Ｃｕｒｖａｔｕｒｅ）を有して、前記アクティブ領域６３０ａと所定の角度（例えば、１８０度）に曲げることができる。本発明の第３実施形態に係るブラケット６２０は、第２実施形態に係るブラケット５２０と同一の形態を有することができる。このように、本発明の第３実施形態は、配線領域６３０ｂを１８０度でベンディングすることにより、第２実施形態に比べてタッチスクリーン６３０の厚みをより減少させることができる。
【００３３】
前記図７を参照すると、本発明の第４実施形態に係るタッチスクリーン７３０は、画像表示およびタッチ感知のためのアクティブ領域７３０ａと、画像に対応するデータおよびタッチ信号を伝送する信号ラインが位置する配線領域７３０ｂを含むことができる。このとき、前記タッチスクリーン７３０の配線領域７３０ｂは、図７に示されたように、上側方向に、一定の曲率半径を有して、所定の角度（例えば、８０度）に曲げることができる。このとき、前記ブラケット７２０および保護ウインドウ７４０は、前記タッチスクリーン７３０のベンディング形態と類似した形態を有することができる。例えば、図７に示されたように、前記ブラケット７２０および保護ウインドウ７４０は両側端が上がった「Ｕ」字形態を有することができる。
【００３４】
図８を参照すると、本発明の第５実施形態に係るタッチスクリーン８３０は、画像表示およびタッチ感知のためのアクティブ領域８３０ａと、画像に対応するデータおよびタッチ信号を伝送する信号ラインが位置する配線領域８３０ｂを含むことができる。このとき、前記タッチスクリーン８３０の配線領域８３０ｂは、図８に示されたように、上側方向に、一定の曲率半径を有して、所定の角度（例えば、９０度）に曲げることができる。このとき、本発明の第５実施形態に係る保護ウインドウ８４０は、携帯端末に締結時、前記タッチスクリーン８３０のアクティブ領域８３０ａを加圧する加圧部８４０ａと、前記タッチスクリーン８３０の配線領域８３０ｂが挿入される屈曲部８４０ｂを含むことができる。前記ブラケット８２０は、タッチスクリーン８３０のアクティブ領域８３０ａを固定するために、直線的な形態を有することができる。
【００３５】
上述した本発明の様々な実施形態に係るタッチスクリーンは、携帯端末に設置時、ユーザに露出される必要のない一部領域（配線領域）を、ユーザに露出される領域（アクティブ領域）と平行にならないように、ベンディングすることができる。これにより、本発明は携帯端末のボーダー領域を最小化することができる。前記ボーダー領域を減らすことにより、本発明は携帯端末のデザイン競争力を強化することができる。また、本発明の実施形態に係るタッチスクリーンを備える携帯端末は、同一サイズのタッチスクリーンを提供する他の携帯端末に比べて小型化および軽量化することができる。また、本発明の実施形態に係るタッチスクリーンを備える携帯端末は、同一の外観サイズを有する場合、他の携帯端末より相対的に大きい画面を提供することができる。
【００３６】
図９は、本発明の実施形態に係るタッチスクリーンの製造方法を説明するための図である。
【００３７】
図９を参照すると、本発明の実施形態に係るタッチスクリーン製造方法は、識別符号９１０および９２０の図面に示されたように、フレキシブルタッチパネル９３２と保護ウインドウ９４１を付着することができる。このとき、前記フレキシブルタッチパネル９３２および保護ウインドウ９４１は、光学透明両面テープ（ＯＣＡ、９６０）で接着することができる。ここで、前記フレキシブルタッチパネル９３２は、タッチ感知のためのタッチセンサーが位置するタッチ感知領域および感知されたタッチ信号を伝送するための信号ラインが位置する配線領域を含むことができる。
【００３８】
本発明は、識別符号９３０および９４０の図面に示されたように、前記フレキシブル表示パネル９３１を前記フレキシブルタッチパネル９３２の下段に付着することができる。前記フレキシブル表示パネル９３１と前記フレキシブルタッチパネル９３２は、光学透明両面テープ（ＯＣＡ、９６０）で接着することができる。ここで、前記フレキシブル表示パネル９３１は、画像が表示されるアクティブ領域と、前記画像に対応するデータを伝送する信号ラインが位置する配線領域を含むことができる。一方、前記フレキシブルタッチパネル９３２、フレキシブル表示パネル９３１および保護ウインドウ９４１の付着順番は変更することができる。例えば、本発明の他の例では、前記フレキシブルタッチパネル９３２とフレキシブル表示パネル９３１を付着した後、保護ウインドウ９４１を付着することもできる。
【００３９】
次に、本発明は、識別符号９５０の図面に示されたように、前記フレキシブル表示パネル９３１の下段にブラケット９２０を積層することができる。このとき、前記フレキシブル表示パネル９３１と前記ブラケット９２０の間には、スポンジ（Ｓｐｏｎｇｅ）、ポロン（Ｐｏｒｏｎ）などの緩衝材９１０が位置することができる。
【００４０】
次に、本発明は、前記タッチパネル９３２の配線領域および前記表示パネル９３１の配線領域を、前記タッチ感知領域および前記アクティブ領域と平行にならないように、ベンディングすることができる。例えば、識別符号９６０の図面に示されたように、前記タッチパネル９３２の配線領域および前記表示パネル９３１の配線領域を曲げて、前記ブラケット９２０の側面に付着することができる。
【００４１】
一方、本発明は前記識別符号９６０の図面に示されたベンディング方法に限定されない。すなわち、前記タッチパネル９３２の配線領域および前記表示パネル９３１の配線領域は、様々な形態でベンディングすることができる。例えば、図５または図６に示されたように、前記ブラケットが、両側端に、前記タッチパネル９３２の配線領域および前記表示パネル９３１の配線領域を挿入するための溝を含む場合、溝が形成されたブラケットを前記フレキシブル表示パネル９３１の下段に積層し、前記タッチパネル９３２の配線領域および前記表示パネル９３１の配線領域を前記溝に挿入することができる。このとき、前記タッチパネル９３２の配線領域および前記表示パネル９３１の配線領域は、図５に示されたように、９０度に曲げて溝に挿入するか、あるいは、図６に示されたように、１８０度に曲げて溝に挿入することができる。または、図７および図８に示されたように、前記タッチパネル９３２の配線領域および前記表示パネル９３１の配線領域は、保護ウインドウが位置する上段方向に曲げることもできる。このとき、前記保護ウインドウは、両側端に、前記タッチパネル９３２の配線領域および前記表示パネル９３１の配線領域が挿入されるための溝または屈曲部を含むことが好ましい。
【００４２】
上述した前記タッチパネル９３２の配線領域および前記表示パネル９３１の配線領域のベンディング方法は一例に過ぎず、本発明は上述した方法に限定されない。すなわち、本発明は、様々な方法により、前記タッチパネル９３２の配線領域および前記表示パネル９３１の配線領域を、前記アクティブ領域および前記タッチ感知領域と平行にならないように、ベンディングすることができる。
【００４３】
以上では、本発明の実施形態に係るタッチスクリーン、その製造方法、およびそれを備える携帯端末に関して、本明細書および図面により、好ましい実施形態について説明した。ここで、特定の用語が使用されているが、これは単に本発明の技術内容を分かりやすく説明し、発明の理解を助けるために、一般的な意味で使用されただけであり、本発明は上述した実施形態に限定されるものではない。すなわち、本発明の技術的思想に基づく様々な実施形態が実施可能であることは、本発明の属する技術分野における通常の知識を有する者にとって自明なことである。
【符号の説明】
【００４４】
２１０  緩衝材
２６０  接着剤
２２０  ブラケット
２３０  タッチスクリーン
２３１  表示パネル
２３２  タッチパネル
２４１  保護ウインドウ
２０１  ケース
【図１】
2013191208.tif 000003
【図２】
2013191208.tif 000004
【図３】
2013191208.tif 000005
【図５】
2013191208.tif 000006
【図６】
2013191208.tif 000007
【図７】
2013191208.tif 000008
【図８】
2013191208.tif 000009
【図９】
2013191208.tif 000010
【図４】
2013191208.tif 000011